(57)【要約】      （修正有）【課題】外気に晒されないため、表面が汚れたり文字が消え難い遺骨・遺品収容器の提供。【解決手段】外筒１内に収納された内筒２の外周面３に文字等４を表記する。そして、遺骨・遺品を納めた内筒２を外筒１内に収納すれば、内筒２における文字等４が表記された外側面３は、外筒１から内筒２を取り出さない限り外部露出しない。【選択図】図１
0003119689.tif 000002
【実用新案登録請求の範囲】
【請求項１】
外筒内に内筒を収納し、該内筒外周面に文字等を表記したことを特徴とする遺骨・遺品収容器。
【請求項２】
内筒を多重構造とし、該内筒の少なくとも１個の外周面に文字等を表記したことを特徴とする請求項１記載の遺骨・遺品収容器。
【請求項３】
外筒内に内筒を収納し、外筒と内筒間の隙間に、文字等を表記した板材を挿脱可能に設けたことを特徴とする遺骨・遺品収容器。
【請求項４】
外筒内に仕切り板を設け、該仕切り板の表面に文字等を表記したことを特徴とする遺骨・遺品収容器。
【考案の詳細な説明】
【技術分野】
【０００１】
本考案は、墓地に納める他、仏壇に供えたり、遺影の横に供えられる様にした遺骨・遺品収容器に関する。
【背景技術】
【０００２】
従来、故人の遺骨は、骨壺に収容して墓地に納めるのが一般的である。
又、死因によりケースバイケースであるが、故人の座右の銘、生前好んでいた詩、俳句、故人の遺族へのメッセージや、反対に故人への鎮魂のメッセージ等の文章を何らかの形で残したい場合、色紙や短冊に記して備えるのが一般的である。
又、骨壺の表面に施したブラスト加工等による加工部位に、マジック、墨等で文字を書いて消えにくくさせたものが見受けられる（例えば、特許文献１参照）。
よって、目的は異なるが、上記加工部位に表記する文字を残したい文章とすれば、遺骨と残したい文章を同時に管理できる様になる。
【０００３】
【特許文献１】実用新案登録第３１０６８８７号公報
【考案の開示】
【考案が解決しようとする課題】
【０００４】
しかし、上記従来技術にあっては、骨壺の外周面に表記されることから外気に晒されるため、墓地に納められると汚れたり文字が消え易く、仮に骨壺を仏壇に備えたとしても、線香やロウソクの煙により煤が付着して文字が見え難くなるなど、解決せねばならない課題があった。
【課題を解決するための手段】
【０００５】
本考案は、上記従来技術に基づく、文字が消えたり、表面が汚れて見え難くなる課題に鑑み、外筒内に内筒を収納し、該内筒の外周面に文字等を表記したり、外筒内に内筒を収納し、外筒と内筒間の隙間に、文字等を表記した板材を挿脱可能に設けたり、或いは外筒内に仕切り板を設け、該仕切り板の表面に文字等を表記することによって、文字等が表記された内筒、板材又は仕切り板は外筒内に納められて、取り出さない限り外部露出しない様にして、上記課題を解決する。
【考案の効果】
【０００６】
要するに本考案は、外筒内に内筒を収納し、該内筒外周面に文字等を表記したので、内筒を外筒を取り出さない限り、内筒外周面が外部露出しないため、墓地に納めても汚れず文字も消え難く、仏壇に備えても煤等の付着を防止することが出来る。又、通常は内筒の外周面に表記された文字等は外筒により隠された状態であるため、遺族以外にその文字等を見られることを防止出来る。
つまり、内筒内に遺骨・遺品を収容出来るため、墓地に納める骨壺として使用する他、分骨した遺骨を納めて仏壇に供えたり、遺影の傍らに置いておくことが出来、よって遺族が見たい時に外筒から内筒を取り出せば、内筒に表記された文字等を見ることが出来、且つ内筒内に納められた遺品を取り出すことが出来る。
而も、内筒を多重構造とし、該内筒の少なくとも１個の外周面に文字等を表記したので、請求項１に記載の考案と同様の効果を有する他、文字等の記載量を増やすことが出来ると共に、遺族個々への故人からのメッセージや、故人への遺族個々からのメッセージを別々に記載することが出来る。
又、外筒内に内筒を収納し、外筒と内筒間の隙間に、文字等を表記した板材を挿脱可能に設けたので、請求項１、２に記載の考案と同様の防汚効果、文字消え防止効果を有する他、遺族個々への故人からのメッセージや、故人への遺族個々からのメッセージを別々に記載することが出来るため、遺族は見たいメッセージが書かれた板材だけを取り出したり、内筒だけを外筒から取り出して遺骨・遺品だけを取り出すことを選択出来る。
又、外筒内に仕切り板を設け、該仕切り板の表面に文字等を表記したので、請求項１〜３に記載の考案の効果と同様の防汚効果、文字消え防止効果を有する他、上記仕切り板で外筒内を区切ることが出来るため、区割空間に遺骨や遺品等を別々に納めることが出来る等その実用的効果甚だ大である。
【考案を実施するための最良の形態】
【０００７】
以下本考案の一実施例を図面に基づいて説明する。
図１は、遺骨・遺品収容器の第１実施例における内部構造の一部を正面で表した縦断面図であり、図２は、図１の遺骨・遺品収容器の横断面図であり、かかる第１実施例の遺骨・遺品収容器にあっては、有底筒状の外筒１内に、該外筒１の内部形状に合わせた有底筒状の内筒２を収容し、該内筒２の外周面３に文字等４が表記され、外筒１の上方開口部を蓋５で開閉可能としている。
又、外筒１の内周面と内筒２の外周面は接面させず、若干の隙間を持たせることで取り出しの便宜を図れる様にするのが好ましい。
【０００８】
尚、図７、８に示す様に、外筒１内に複数個の内筒２、2a…を多重構造にして収容すると共に、該内筒２、2a…の外側面３、3a…の少なくとも１面に文字等４が表記されている。
又、図面上、内筒２、2a…は全て有底筒状であるが、内筒２、2a…のうち少なくとも最内のものが有底筒状であれば、残りのものは底の無い単なる筒状であっても良い。
【０００９】
図３は、遺骨・遺品収容器の第２実施例における内部構造の一部を正面で表した縦断面図であり、図４は、図３の遺骨・遺品収容器の横断面図であり、かかる第２実施例の遺骨・遺品収容器にあっては、有底筒状の外筒１内に有底筒状の内筒２を収容すると共に、該外筒１及び内筒２間の隙間６に複数枚の板材７、7a…を挿脱可能に設け、該板材７、7a…の表面８、8a…に文字等４が表記され、外筒１の上方開口部を蓋５で開閉可能としている。
【００１０】
図５は、遺骨・遺品収容器の第３実施例の縦断面図であり、図６は、図４の遺骨・遺品収容器の横断面図であり、かかる第３実施例の遺骨・遺品収容器にあっては、有底筒状の外筒１内に、断面十字状にした仕切り板９を着脱自在に収容し、該仕切り板９の表面10、10a …に文字等４が表記され、外筒１の上方開口部を蓋５で開閉可能としている。
但し、仕切り板９の形状は断面十字状のものに何ら限定されず、要するに外筒１の内部空間を複数個に区割可能であれば良い。
【００１１】
尚、図面上、第１実施例における外筒１及び内筒２、第２、３実施例における外筒１の形状は円筒状であるが、かかる形態に限られるものではなく、図示しないが多角筒状であっても良い。
又、第１〜３実施例における外筒１及び蓋５、第１、２実施例における内筒２（2a…）、第２実施例における板材７、7a…、及び第３実施例における仕切り板９の材質にあっては、通常陶磁器であるが、石材、金属、プラスチック等の硬質材料であればいかなる材質でも良く、又外筒１と内筒２、板材７、7a…又は仕切り板９を異材料としても良い。
又、図示しないが、内筒２の底面に納骨後における結露による水を抜くための穴を形成したり、内筒２に取り出しのための把手を設けても良い。
【００１２】
又、文字等４とは、文字列のみで構成したもの、或いは文字列に図形（絵、写真等）を加えた構成のものの総称である。
【００１３】
次に本考案に係る遺骨・遺品収容器の作用について説明する。
外筒１内に収納状態の内筒２は、外筒１から取り出さない限り外部露出せず、内筒２の外周面３に表記された文字等４は外筒１により隠すことが可能になる。
更に、複数の内筒２、2a…により多重構造にすれば文字等４の記載可能な面積が増えるため、記載量を増やすことが可能になる。
第２実施例にあっては、遺族が見たいメッセージが書かれた板材９、9a…だけを取り出し可能で、内筒２だけを外筒１から取り出して遺骨・遺品だけを取り出すことも可能になる。
第３実施例にあっては、仕切り板９による区割空間に遺骨や遺品等を別々に納めることが可能になる。
そして、内筒２内又は仕切り板９による区割空間に遺骨や遺品等を納めれば、墓地に納める骨壺として使用する他、分骨した遺骨を納めて仏壇に供えたり、遺影の傍らに置くことが可能になる。
【図面の簡単な説明】
【００１４】
【図１】遺骨・遺品収容器の第１実施例における内部構造の一部を正面で表した縦断面図である。
【図２】図１の遺骨・遺品収容器の横断面図である。
【図３】遺骨・遺品収容器の第２実施例における内部構造の一部を正面で表した縦断面図である。
【図４】図３の遺骨・遺品収容器の横断面図である。
【図５】遺骨・遺品収容器の第３実施例の縦断面図である。
【図６】図５の遺骨・遺品収容器の横断面図である。
【図７】内筒を多層構造とした遺骨・遺品収容器の縦断面図である。
【図８】図７の遺骨・遺品収容器の横断面図である。
【符号の説明】
【００１５】
１          外筒
２、2a…    内筒
３、3a…    外周面
４          文字等
６          隙間
７、7a…    板材
８、8a…    表面
９、9a…    仕切り板
10、10a …  表面
【図１】
0003119689.tif 000003
【図２】
0003119689.tif 000004
【図３】
0003119689.tif 000005
【図４】
0003119689.tif 000006
【図５】
0003119689.tif 000007
【図６】
0003119689.tif 000008
【図７】
0003119689.tif 000009
【図８】
0003119689.tif 000010